(57)【特許請求の範囲】
【請求項１】
アルミニウム押し出し成形の枠材で上辺枠、下辺枠および側枠から成る周辺枠が形成され、同周辺枠の面内に透光系の合成樹脂板を嵌め込み固定して成る道路用透光型防音壁パネルにおいて、
前記上辺枠、下辺枠および側枠はそれぞれの枠内面側に合成樹脂板が挿入される半溝部を有し、該半溝部は片側の溝壁が長く延び、他方の溝壁は短く形成されており、該他方の短い溝壁の頂部から直角方向に延びた平坦面の先端近くに湾曲溝を有し、押縁が前記湾曲溝と前記半溝部の短い溝壁とに嵌め込まれて、前記透光系の合成樹脂板は、前記半溝部へ固定した押縁に拘束され周辺枠に固定されていることを特徴とする道路用透光型防音壁パネル。
【請求項２】
前記押縁は、断面がほぼコの字形状で、一方の端部は垂直辺とされ、該垂直辺と前記上辺枠と下辺枠および側枠それぞれの前記半溝部を形成する長く延びた溝壁とで合成樹脂板が拘束され、前記押縁の他方の端部に前記一方の端部から遠のく方向へ湾曲状に形成された端部を有し、
前記の各枠材には、前記押縁の湾曲状端部を嵌める湾曲溝が、前記押縁の前記合成樹脂板を拘束する端部が同合成樹脂板を平行に圧着し固定する形態に形成されており、
押縁の前記合成樹脂板を拘束する端部が同合成樹脂板を拘束した位置において前記の各枠材と接触する部位に、押縁及び前記各枠材の双方に相互に食い付く抜け止め手段が形成されており、
押縁はその湾曲状端部を前記枠材の湾曲溝へ嵌める回転操作により合成樹脂板を固定した上で、前記の抜け止め手段を食い付かせていることを特徴とする、請求項１に記載した道路用透光型防音壁パネル。
【請求項３】
前記押縁は、断面がほぼコの字形状で、一方の端部は垂直辺とされ、該垂直辺と前記上辺枠と下辺枠および側枠それぞれの前記半溝部を形成する長く延びた溝壁とで、透光系合成樹脂板が拘束され、前記押縁の他方の端部に前記一方の端部から遠のく方向へ湾曲状に形成された端部の先端は円弧状部に形成されており、
前記の各枠材には押縁の前記円弧状部を嵌める円弧状溝が、同押縁の前記円弧状部を挿入して回転させることが可能な広口幅で、且つ合成樹脂板を拘束する端部が同合成樹脂板を平行に圧着して固定する形態に形成されており、
押縁の前記合成樹脂板を拘束する端部が同合成樹脂板を固定した位置において枠材と接触する部位に、押縁及び各枠材の双方に相互に食い付く抜け止め手段が形成されており、
押縁はその円弧状部を各枠材の円弧状溝へ嵌める回転操作により合成樹脂板を固定した上で、前記の抜け止め手段を食い付かせていことを特徴とする、請求項１に記載した道路用透光型防音壁パネル。
【請求項４】
周辺枠を形成する側枠と上辺枠、下辺枠とは、側枠のコーナー部にそれぞれ個別に固定した飛散防止用の枠繋ぎプレートと、上辺枠、下辺枠に固定したコーナープレートを相互にボルト止めにより連結していることを特徴とする、請求項１〜３のいずれか一に記載した道路用透光型防音壁パネル。
【請求項５】
側枠の枠繋ぎプレートに飛散防止用ワイヤーを通すアイボルトが取り付けられていることを特徴とする、請求項４に記載した道路用透光型防音壁パネル。
【発明の詳細な説明】
【０００１】
【発明の属する技術分野】
この発明は、道路用防音壁の構築に使用される透光型防音壁パネルの技術分野に属し、さらに云えば、アルミニウム押し出し成形の型材で周辺枠を形成し、その枠面内に透光系の合成樹脂板を嵌め込み、ビス類を使用することなく、押縁のみにより簡単、確実にワンタッチ操作の固定が行われる道路用透光型防音壁パネルに関する。
【０００２】
【従来の技術】
従来の道路用透光型防音壁パネルは、アルミニウム押し出し成形の型材で周辺枠を形成し、その枠面内に透光系の合成樹脂板を嵌め込み固定した構成が一般的である。そして、合成合成樹脂板の固定方式としては、
【０００３】
（１）  型材に、合成樹脂板のはめ込み、固定に必要十分な深さの溝部を形成し、この溝部へ嵌める方式（特許第２５２８４７０号公報の第１図を参照）。
【０００４】
（２）  合成樹脂板の端部に予め抜け止め部材をビスで取り付け、型材には合成樹脂板の板厚相当の差し込み口と、その奥側に前記抜け止め部材を収容可能な中空部とを形成し、合成樹脂板は前記抜け止め部材を型材の前記中空部へ長手方向へ嵌め込む方式（特許第２５２８４７０号公報の第１図を参照）。
【０００５】
（３）  型材に、合成樹脂板の板厚に比してかなり広幅で、且つ奥行き方向に幅狭となる傾斜型の溝部を形成し、この溝部へ嵌めた合成樹脂板は、前記溝部の口部へ押縁をまるでくさびを打ち込む形式に取り付け、同押縁をビス止めにより型材へ固定する方式（特開平５−３５２１１号公報記載の発明を参照）。などが公知である。
【０００６】
【発明が解決しようとする課題】
上述した従来技術（１）〜（３）はそれぞれ固有の特長を有するが、（１）、（２）の技術は合成樹脂板を型材の溝部へ嵌めることがむずかしく、周辺枠の組立てに先行して型材へ合成樹脂板の嵌め込みを行うほかないから、結局、防音壁パネルの組立作業が面倒で熟練を要し、コスト高になる欠点がある。
上記（３）の技術は、周辺枠に対する合成樹脂板の嵌め込みを所謂後付けとして行えるけれども、合成樹脂板の固定手段としてビス止め作業が必要であるほか、押縁を止めたビスの頭が露出して美観を損ねる欠点がある。
【０００７】
その他、道路用防音壁の宿命として、車両が衝突した事故時には、万が一にも防音壁パネルが支柱から脱落して周辺へ落下する２次災害、或いは破損し分解した防音壁パネルの型材が周辺へ飛散する２次災害を確実に未然に防止する措置が重要である。
【０００８】
本発明の目的は、周辺枠に対する合成樹脂板の嵌め込み、固定の作業を所謂後付け作業として簡単に行え、合成樹脂板の固定手段にビス類、リベット類、くさび類を一切必要とせず、押縁のみで行えて美観に優れ、しかも押縁の取付けはワンタッチ的に行え、コストダウンも図れる道路用透光型防音壁パネルを提供することである。
本発明の次の目的は、落下防止対策、及び解体した枠材の飛散防止対策を十分に施した道路用透光型防音壁パネルを提供することである。
【０００９】
【課題を解決するための手段】
前記課題を解決するための手段として、請求項１記載の発明に係る道路用透光型防音壁パネルは、
アルミニウム押し出し成形の枠材で上辺枠、下辺枠および側枠から成る周辺枠が形成され、同周辺枠の面内に透光系の合成樹脂板を嵌め込み固定して成る道路用透光型防音壁パネルにおいて、
前記上辺枠、下辺枠および側枠はそれぞれの枠内面側に合成樹脂板が挿入される半溝部を有し、該半溝部は片側の溝壁が長く延び、他方の溝壁は短く形成されており、該他方の短い溝壁の頂部から直角方向に延びた平坦面の先端近くに湾曲溝を有し、押縁が前記湾曲溝と前記半溝部の短い溝壁とに嵌め込まれて、前記透光系の合成樹脂板は、前記半溝部へ固定した押縁に拘束され周辺枠に固定されていることを特徴とする。
【００１０】
請求項２に記載した発明は、請求項１に記載した道路用透光型防音壁パネルにおいて、  前記押縁は、断面がほぼコの字形状で、一方の端部は垂直辺とされ、該垂直辺と前記上辺枠と下辺枠および側枠それぞれの前記半溝部を形成する長く延びた溝壁とで合成樹脂板が拘束され、前記押縁の他方の端部に前記一方の端部から遠のく方向へ湾曲状に形成された端部を有し、
前記の各枠材には、前記押縁の湾曲状端部を嵌める湾曲溝が、前記押縁の前記合成樹脂板を拘束する端部が同合成樹脂板を平行に圧着し固定する形態に形成されており、
押縁の前記合成樹脂板を拘束する端部が同合成樹脂板を拘束した位置において前記の各枠材と接触する部位に、押縁及び前記各枠材の双方に相互に食い付く抜け止め手段が形成されており、
押縁はその湾曲状端部を前記枠材の湾曲溝へ嵌める回転操作により合成樹脂板を固定した上で、前記の抜け止め手段を食い付かせていることを特徴とする。
【００１１】
請求項３に記載した発明は、請求項１に記載した道路用透光型防音壁パネルにおいて、
前記押縁は、断面がほぼコの字形状で、一方の端部は垂直辺とされ、該垂直辺と前記上辺枠と下辺枠および側枠それぞれの前記半溝部を形成する長く延びた溝壁とで、透光系合成樹脂板が拘束され、前記押縁の他方の端部に前記一方の端部から遠のく方向へ湾曲状に形成された端部の先端は円弧状部に形成されており、
前記の各枠材には押縁の前記円弧状部を嵌める円弧状溝が、同押縁の前記円弧状部を挿入して回転させることが可能な広口幅で、且つ合成樹脂板を拘束する端部が同合成樹脂板を平行に圧着して固定する形態に形成されており、
押縁の前記合成樹脂板を拘束する端部が同合成樹脂板を固定した位置において枠材と接触する部位に、押縁及び各枠材の双方に相互に食い付く抜け止め手段が形成されており、
押縁はその円弧状部を各枠材の円弧状溝へ嵌める回転操作により合成樹脂板を固定した上で、前記の抜け止め手段を食い付かせていことを特徴とする。
【００１２】
請求項４に記載した発明は、請求項１〜３のいずれか一に記載した道路用透光型防音壁パネルにおいて、
周辺枠を形成する側枠と上辺枠、下辺枠とは、側枠のコーナー部にそれぞれ個別に固定した飛散防止用の枠繋ぎプレートと、上辺枠、下辺枠に固定したコーナープレートを相互にボルト止めにより連結していることを特徴とする。
【００１３】
請求項５に記載した発明は、請求項４に記載した道路用透光型防音壁パネルにおいて、  側枠の枠繋ぎプレートに飛散防止用ワイヤーを通すアイボルトが取り付けられていることを特徴とする。
【００１４】
【発明の実施形態】
請求項１記載の発明に係る道路用透光型防音壁パネルは、図１〜図３に実施形態を示したように、アルミニウム押し出し成形の枠材である上辺枠２と、下辺枠３、及び左右の側枠４、４とを組んで、縦、横が１０００×１９００ｍｍ位の長方形をなす周辺枠を形成し、同周辺枠の面内に透光系の合成樹脂板として、本実施例では厚さが５ｍｍ位のポリカーボネート板１を嵌め込み固定した構成である。
【００１５】
透光系のポリカーボネート板１は、周辺枠を形成する上辺枠２、下辺枠３および側枠４を形成する各枠材の共通位置に設けられた半溝部５の長く延びた溝壁５ａ（図４及び図５を参照）に片面を拘束され、前記半溝部５の短く形成された他方の溝壁へ取り付けた押縁６の垂直な端部６ａによって他側面を拘束された構造で周辺枠に固定されている。従って、ポリカーボネート板１は、周辺枠に対して後付けすることができる構造である。各枠材２、３、４における前記半溝部５の長く延びた溝壁５ａは、ポリカーボネート板１が受ける風圧等の外力に耐える強度、剛性を具備するように、中空ボックス断面部７の一部として形成されている。
【００１６】
押縁６も、やはりポリカーボネート板１が受ける風圧等の外力に耐える強度、剛性を具備するように、アルミニウム押し出し成形により断面をほぼコの字形状の枠材として製造されている（図６Ａ、Ｂ）。
図６Ａに示した押縁６は、上記ポリカーボネート板１の他側面を拘束する一方の端部６ａは垂直辺とされ、この垂直な端部６ａから遠のく方向へ湾曲状に形成された端部６ｂを有する。
【００１７】
これに対応して、周辺枠を形成する上辺枠２、下辺枠３、及び側枠４にはそれぞれ、上記押縁６の上記湾曲状に形成された端部６ｂを嵌める湾曲溝８が、周辺枠の内面側を形成する所謂ウエブ部分に、押縁６の前記一方の端部６ａがポリカーボネート板１の他側面を平行に圧着して固定するのに適した湾曲形態に形成されている。
つまり、押縁６は、上辺枠２、下辺枠３、及び側枠４にそれぞれ共通する「合成樹脂板止め部材」として製作されている。
【００１８】
この押縁６は、図６Ａに手順を点線で例示したように、湾曲状に形成された端部６ｂを各枠材２、３、４の湾曲溝８へ、その湾曲に沿って嵌めるべく（１）→（２）→（３）のように回転させる操作を加えることにより、最終的には湾曲状の端部６ｂが各枠材２、３、４の湾曲溝８の奥端へ突き当たって突っ張った状態で、反対側の端部６ａがポリカーボネート板１を平行に強く圧着しつつ同端部６ａの先端部が半溝部５を形成する短い溝壁の内側へ嵌り込んで固定する。但し、押縁６には、前記一方の垂直な端部６ａの外側面に、予め厚さ３ｍｍ位のクロロプレンゴムのようなシール材９を取り付け、このシール材９を介してポリカーボネート板１の表面を滑らせ、最終段階でシール材９を強く圧着した形でポリカーボネート板１を拘束し固定する構成で実施することが好ましい。
【００１９】
なお、押縁６の前記一方の端部６ａがポリカーボネート板１を固定した最終段階置において、同端部６ａの先端部が各枠材２、３、４の上記半溝部５を形成する短い溝壁の内側へ接触する部位にはそれぞれ、押縁６及び枠材２、３、４の双方に、相互に食い付く抜け止め手段として、各枠材の半溝部５を形成する短い溝壁の内側部分には鈎状凹部１０（図４、図５を参照）が、そして、押縁６の前記一方の端部６ａには鉤部１１（図６）が形成されている。前記の鈎状凹部１０と鉤部１１を最終的にカチリと食い付かせることによって、押縁６は恒久的に外れる懸念のない安定な固定状態となる構成で実施される（以上、請求項２、３に記載した発明）。
【００２０】
更に、押縁６における上記一方の端部６ａの内側面および他方の湾曲状の端部６ｂの内側面には、前記抜け止め手段としての鈎状凹部１０と鉤部１１が食い付いた段階で、丁度相手方の枠材の該当部位へ突き当る位置決めストッ６ｃ、６ｄがそれぞれ形成されている。
従って、周辺枠に対するポリカーボネート板１の固定作業は、図６Ａに例示した手順（１）→（２）→（３）のように押縁６の湾曲状の端部６ｂを湾曲溝８へ挿入して回転させつつ一方の端部６ａをポリカーボネート板１の板面に沿って滑らせ押し入れる操作の云うなればワンタッチ的に簡単な操作で能率良く確実に行え、コストダウンを図れる。その上、ビス類は一切使用しないから、美観にも優れた構成となる。
なお、押縁６の湾曲状の端部６ｂおよびこれを挿入する枠材の湾曲溝８の形態は、上記図６Ａに示す実施例の限りではない。例えば図６Ｂに例示したように、湾曲状の端部６ｂに代えて、先端に円弧状部６ｅを形成し、他方、各枠材の湾曲溝は前記円弧状部６ｅを挿入して回転させることが可能な程度に広口幅で、且つポリカーボネート板１を拘束し固定する一方の端部６ａが同ポリカーボネート板１を平行に圧着して固定するのに適した形態に形成して、図６Ａの実施例と全く同様に実施することができる。
【００２１】
上記の周辺枠を形成する上辺枠２の上面２ａおよび下辺枠３の下面３ａは、図示を省略した防音壁支柱（通例Ｈ形鋼）の溝に沿って当該防音壁パネルが落とし込まれた際に上下にぴったり重なり合うように、図３に示した通り、水平面に対して上下方向へ同一の角度傾斜した傾斜面として形成されている。しかも、下辺枠３の前縁には、下位の防音壁パネルにおける上辺枠２の前面を押さえて拘束する下向きに垂直な拘束部３ｂを有する。
【００２２】
周辺枠を形成する側枠４と上辺枠２又は下辺枠３の接合は、図１と図３から推認できるように、側枠４のウエブ部分を、上辺枠２又は下辺枠３との重合部断面と等しい凹状形態に切除して、双方が直角に交わるコーナー部を形成する。そして、同コーナー部において交差した上辺枠２の側面と側枠４のフランジ部、及び下辺枠３の側面と側枠４のフランジ部とをそれぞれ、図３に示したように、複数のリベット１２で結合して周辺枠が強固に組み立てられている。従って、上記押縁６の長さは、周辺枠の縦・横の内のり寸法に等しく形成されている（図１）。
【００２３】
次に、上記の構成に組み立てられた周辺枠が、車輌の衝突に伴いバラバラに解体して落下する２次災害を未然に防止する手段として、側枠４と上辺枠２又は下辺枠３が形成するコーナー部において、各枠材は、それぞれに個別に取付けた飛散防止用の枠繋ぎプレート同士を相互に下記する構成のボルト止めにより連結されている（請求項４、５に記載した発明）。
【００２４】
先ず図７〜図９は、側枠４と上辺枠２のコーナー部における枠繋ぎ構造の実施例を示している。
上辺枠２のウエブ部分の下部壁の上面側へリベット１５で結合されたコーナープレート１６の直角に屈曲された先端部と、側枠４の上端部の内側壁へリベット１５によりアイボルト１７の取付けを兼ねて結合された枠繋ぎプレート１８の上端部とが重ね合わされ、その重合部がワンサイドボルト１９により結合されている。従って、車輌の衝突時などに、仮に上辺枠２と側枠４とを相互に止着した上述のリベット１２（図３）が外れて解体するような不測の事態が起きても、前記コーナープレート１６と枠繋ぎプレート１８の連結効果により、各材がバラバラに飛散する２次災害は未然に確実に防止される。
【００２５】
その上、前記アイボルト１７のリング部に飛散防止用ワイヤーを通しておくことにより、飛散防止の実効性は更に向上する。
次に、図１０〜図１２は、側枠４と下辺枠３のコーナー部における枠繋ぎ構造の実施例を示している（請求項４に記載した発明）。
下辺枠３のウエブ部分の下面にリベット１５で結合されたコーナープレート２０の先端部と、側枠４の下端部へやはりリベット１５により結合された枠繋ぎプレート２１の下端部とが重ね合わされ、その重合部が同じくワンサイドボルト１９により結合されている。従って、車輌の衝突時などに、仮に下辺枠２と側枠４とを相互に止着したリベット１２（図３）が外れて解体するような不測の事態が起きても、前記プレート２０と２１の結合効果により、各材がバラバラに飛散する２次災害は未然に確実に防止される。
【００２６】
【発明が奏する効果】
請求項１〜３記載した発明に係る道路用透光型防音壁パネルは、周辺枠に対する合成樹脂板の嵌め込み、固定の作業を、所謂後付け作業として簡単に行えるほか、合成樹脂板の固定手段はビス類、リベット類、くさび類を一切必要とせず、押縁のみで行うから美観に優れる。しかも押縁による合成樹脂板固定は回転操作によってワンタッチ的に行えるので、能率が良く、コストダウンも図れる。
更に、請求項４、５に記載した発明によれば、落下防止対策、及び解体した枠材の飛散防止対策を十分に施した道路用透光型防音壁パネルを提供できる。
【図面の簡単な説明】
【図１】  本発明に係る道路用透光型防音壁パネルの正面図である。
【図２】  図１のＢ−Ｂ線矢視の拡大した断面図である。
【図３】  図１のＡ−Ａ線矢視の拡大した断面図である。
【図４】  上辺枠の横断面図である。
【図５】  側枠の横断面図である。
【図６】  Ａ、Ｂは押縁の実施例について使用状態を示した説明図である。
【図７】  上辺枠と側枠との枠繋ぎ構造を示した側面図である。
【図８】  上辺枠と側枠との枠繋ぎ構造を示した正面方向の説明図である。
【図９】  上辺枠と側枠との枠繋ぎ構造を示した平面図である。
【図１０】  下辺枠と側枠との枠繋ぎ構造を示した側面図である。
【図１１】  下辺枠と側枠との枠繋ぎ構造を示した正面方向の説明図である。
【図１２】  上辺枠と側枠との枠繋ぎ構造を示した底面図である。
【符号の説明】
１    透光系の合成樹脂板（ポリカーボネート板）
２    上辺枠
３    下辺枠
４    側枠
５    半溝部
５ａ  溝壁
６    押縁
６ａ  垂直な端部
６ｂ  湾曲状の端部
８    湾曲溝
１０  鈎状凹部（抜け止め手段）
１１  鈎部（抜け止め手段）
１６  コーナープレート
１８  枠繋ぎプレート
１９  ワンサイドボルト
１５  リベット
１７  アイボルト
２０  コーナープレート
２１  枠繋ぎプレート
【図１】
0004157214.tif 000002
【図２】
0004157214.tif 000003
【図３】
0004157214.tif 000004
【図４】
0004157214.tif 000005
【図５】
0004157214.tif 000006
【図６】
0004157214.tif 000007
【図７】
0004157214.tif 000008
【図８】
0004157214.tif 000009
【図９】
0004157214.tif 000010
【図１０】
0004157214.tif 000011
【図１１】
0004157214.tif 000012
【図１２】
0004157214.tif 000013